(57)【要約】  電気自動車充電ステーションネットワークは、複数の充電ステーションホストに属する電気自動車充電ステーションを含む。各々のホストは、１つ又はそれ以上の充電ステーションを制御する。充電ステーションネットワークサーバはインタフェースを提供し、これによりホストの各々は、ホストに属する１つ又はそれ以上の電気自動車充電ステーション上で電気自動車を充電するための１つ又はそれ以上の料金規定を定義できる。料金規定は、充電ステーションを使用する電気自動車の充電コストが料金規定に応じて計算されるように充電ステーションに適用される。【選択図】図１
2013518356.tif 000002
【特許請求の範囲】
【請求項１】
各ホストが複数の電気自動車充電ステーションの１つ又はそれ以上を制御する、複数の充電ステーションホストに属する複数の電気自動車充電ステーションと、
前記複数のホストが、前記ホストに属する１つ又はそれ以上の電気自動車充電ステーション上で電気自動車を充電するための１つ又はそれ以上の料金規定を定義できるインタフェースを提供する、充電ステーションネットワークサーバと、
を備える電気自動車充電ステーションネットワーク。
【請求項２】
前記充電ステーションネットワークサーバは、更に前記１つ又はそれ以上の料金規定を前記電気自動車充電ステーションの適切な１つに伝達し、前記複数の電気自動車充電ステーションは受信した料金規定に従って前記料金を表示する、請求項１に記載の電気自動車充電ステーションネットワーク。
【請求項３】
前記インタフェースにより、前記ホストの各々は、１つ又はそれ以上の時刻及び日付に基づいて、前記１つ又はそれ以上の料金規定を定義できる、請求項１に記載の電気自動車充電ステーションネットワーク。
【請求項４】
前記インタフェースにより、前記ホストの各々は、前記ホストに属する前記電気自動車充電ステーションを使用する車両運転者の識別情報に基づいて、前記１つ又はそれ以上の料金規定を定義できる、請求項１に記載の電気自動車充電ステーションネットワーク。
【請求項５】
前記インタフェースにより、前記ホストの各々は、１つ又はそれ以上の時刻及び日付に基づいて、前記ホストに属する前記電気自動車充電ステーションの各々に関する、前記電気自動車充電ステーションの制限されたアクセス状態を指定できる、請求項４に記載の電気自動車充電ステーションネットワーク。
【請求項６】
前記インタフェースにより、前記ホストの各々は、１つ又はそれ以上の車両運転者の充電サービスに対する支払いを除外できる、請求項４に記載の電気自動車充電ステーションネットワーク。
【請求項７】
前記除外は、１つ又はそれ以上の時刻及び日付に基づく、請求項６に記載の電気自動車充電ステーションネットワーク。
【請求項８】
電気自動車充電ステーションのホストが定義可能な料金の設定方法であって、
ホストの各々が１つ又はそれ以上の充電ステーションを制御する複数の充電ステーションホストの各々による、１つ又はそれ以上の充電ステーションでの電気自動車の充電に関する１つ又はそれ以上の料金規定の定義を可能にする１つ又はそれ以上の入力制御セットを含むインタフェースを準備する段階と、
複数のホストの１つから前記入力制御セットを介して、前記ホストに属する１つ又はそれ以上の充電ステーションに関する料金規定を定義する入力を受信する段階と、
前記１つ又はそれ以上の充電ステーションを使用する電気自動車の充電コストが前記料金規定に応じて計算されるように、前記入力により定義された料金規定を適用する段階と、を含む方法。
【請求項９】
前記１つ又はそれ以上の入力制御セットは、１つ又はそれ以上の入力制御を含み、前記ホストの各々は、前記ホストに属する１つ又はそれ以上の充電ステーションに関する料金を定義することができる、請求項８に記載の方法。
【請求項１０】
前記１つ又はそれ以上の入力制御セットは、１つ又はそれ以上の入力制御を含み、前記ホストの各々は、前記ホストに属する１つ又はそれ以上の充電ステーションに関する充電セッション毎、時間毎、及び消費エネルギ量の１つ又はそれ以上の料金を定義する、請求項８に記載の方法。
【請求項１１】
前記１つ又はそれ以上の入力制御セットは、１つ又はそれ以上の入力制御を含み、前記ホストの各々は、前記ホストに属する１つ又はそれ以上の充電ステーションに関する、１つ又はそれ以上の時刻に対する１つ又はそれ以上の料金を定義することができる、請求項８に記載の方法。
【請求項１２】
前記１つ又はそれ以上の入力制御セットは、１つ又はそれ以上の入力制御を含み、前記ホストの各々は、１つ又はそれ以上のアクセス識別子に基づいて、前記ホストに属する１つ又はそれ以上の充電ステーションに関する１つ又はそれ以上の料金を定義することができる、請求項８に記載の方法。
【請求項１３】
前記インタフェースは、１つ又はそれ以上の入力制御を更に含み、前記ホストの各々は、１つ又はそれ以上の充電ステーションを制限モードで作動するように定義する、請求項８に記載の方法。
【請求項１４】
プロセッサで実行する場合該プロセッサに以下の作動を実行させる命令をもたらす機械読み取り可能な記憶媒体であって、本方法は、
ホストの各々が１つ又はそれ以上の充電ステーションを制御する複数の充電ステーションホストの各々による、１つ又はそれ以上の充電ステーションでの電気自動車の充電に関する１つ又はそれ以上の料金規定の定義を可能にする１つ又はそれ以上の入力制御セットを含むインタフェースを準備する段階と、
複数のホストの１つから前記入力制御セットを介して、前記ホストに属する１つ又はそれ以上の充電ステーションに関する料金規定を定義する入力を受信する段階と、
前記１つ又はそれ以上の充電ステーションを使用する電気自動車の充電コストが前記料金規定に応じて計算されるように、前記入力により定義された料金規定を適用する段階と、を含む、機械読み取り可能な記憶媒体。
【請求項１５】
前記１つ又はそれ以上の入力制御セットは、１つ又はそれ以上の入力制御を含み、前記ホストの各々は、前記ホストに属する１つ又はそれ以上の充電ステーションに関する料金を定義することができる、請求項１４に記載の機械読み取り可能な記憶媒体。
【請求項１６】
前記１つ又はそれ以上の入力制御セットは、１つ又はそれ以上の入力制御を含み、前記ホストの各々は、前記ホストに属する１つ又はそれ以上の充電ステーションに関する充電セッション毎、時間毎、及び消費エネルギ量の１つ又はそれ以上の料金を定義する、請求項１４に記載の機械読み取り可能な記憶媒体。
【請求項１７】
前記１つ又はそれ以上の入力制御セットは、１つ又はそれ以上の入力制御を含み、前記ホストの各々は、前記ホストに属する１つ又はそれ以上の充電ステーションに関する、１つ又はそれ以上の時刻に対する１つ又はそれ以上の料金を定義することができる、請求項１４に記載の機械読み取り可能な記憶媒体。
【請求項１８】
前記１つ又はそれ以上の入力制御セットは、１つ又はそれ以上の入力制御を含み、前記ホストの各々は、１つ又はそれ以上のアクセス識別子に基づいて、前記ホストに属する１つ又はそれ以上の充電ステーションに関する１つ又はそれ以上の料金を定義することができる、請求項１４に記載の機械読み取り可能な記憶媒体。
【請求項１９】
前記インタフェースは、１つ又はそれ以上の入力制御を更に含み、前記ホストの各々は、１つ又はそれ以上の充電ステーションを制限モードで作動するように定義する、請求項１４に記載の機械読み取り可能な記憶媒体。
【発明の詳細な説明】
【技術分野】
【０００１】
本発明の実施形態は、電気自動車の充電分野に関し、詳細には電気自動車充電ステーションのホストが定義可能な料金設定に関する。
【背景技術】
【０００２】
電気自動車の充電ステーション（以下「充電ステーション」と呼ぶ）は、電気自動車（例えば、バッテリ駆動車両、ガソリン／バッテリ駆動ハイブリッド車等）の充電ポイントを提供する。充電ステーションは、所望の充電位置（例えば、ガソリンスタンドと同じ位置）、駐車スペース（例えば、公共の駐車スペース及び／又は個人の駐車スペース）等に配置できる。
【０００３】
特定の電気自動車充電サービスは、契約販売であるか及び／又は電気自動車と充電ステーションとの間でエネルギを伝送できる期間（一般に２４時間に限定される）である充電セッション毎に充電ステーションを利用した料金を定める。しかしながら、これらの料金は市場主導型ではなく柔軟性がない。例えば、伝送エネルギ量又は充電セッションの持続時間に無関係に、料金が充電セッション毎に基づく場合にはコストは同じであろう。これにより充電ステーションの非効率的な利用のもとでは収益を上げることは難しい。
【０００４】
また、特定の電気自動車充電サービスは、別個のエンティティ（例えば、政府機関、法人、公益企業、アパート所有者等）が所有する充電ステーションのネットワーク上で販売すること又は機能を提供することができる。これらの別個のエンティティは、充電ステーションホスト（「ホスト」）と呼ぶ。例えば、ホストは、これらの充電ステーション上の統計データ（例えば、どれだけ使用したか、どれだけのエネルギを伝送したか等の）を見るためのインタフェースを備えることができる。また、ソフトウェアの更新をネットワーク経由で行うことができる。現在、ホストは、電気自動車充電サービスで定めた料金を使用すること、又は充電を無料で行なうことが必要である。
【０００５】
本発明の例示的な実施形態を示す以下の説明及び図面を参照することで本発明は十分に理解できる。
【図面の簡単な説明】
【０００６】
【図１】本発明の１つの実施形態による、例示的な電気自動車充電ステーションネットワークを示す。
【図２】本発明の１つの実施形態による、図１の充電ステーションネットワークサーバの例示的なポータルを示す。
【図３】本発明の１つの実施形態による、電気自動車充電ステーションのホストが定義可能な料金設定の例示的な作動を示すフローチャートを示す。
【図４】本発明の１つの実施形態による、サーバの例示的なホスト定義可能料金設定インタフェースの機能性を示すブロック図である。
【図５】本発明の１つの実施形態による、ホスト定義可能料金設定インタフェース経由でホストからの入力に基づいて時間ベースプロファイルを規定するための例示的な作動を示すフローチャートである。
【図６】本発明の１つの実施形態による、ホスト定義可能料金設定インタフェース経由でホストからの入力に基づいてアクセスリストを規定するための例示的な作動を示すフローチャートである。
【図７】本発明の１つの実施形態による、ホスト定義可能料金設定インタフェースを使用して料金明細を規定するための例示的な作動を示すフローチャートである。
【図８】本発明の１つの実施形態による、ホスト定義可能料金設定インタフェースを使用して、１つ又はそれ以上の充電ステーションに料金規定を適用するための例示的な作動を示すフローチャートである。
【図９】本発明の１つの実施形態による、時間ベース料金プロファイルを作成及び／又は変更するための例示的なホスト定義可能料金設定インタフェースを示す。
【図１０】本発明の１つの実施形態による、ホストによるアクセスリストの作成及び／又は変更を可能にする例示的なホスト定義可能料金設定インタフェースを示す。
【図１１】本発明の１つの実施形態による、ホストによる料金規定の作成及び／又は変更を可能にする例示的なホスト定義可能料金設定インタフェースを示す。
【図１２】本発明の１つの実施形態による、ホストによる１つ又はそれ以上の充電ステーション及び／又は充電ポイント接続部への料金規定の適用を可能にする例示的なホスト定義可能料金設定インタフェースを示す。
【図１３】本発明の特定の実施形態において実行される例示的な認証及び課金手続きを示すブロック図である。
【図１４】本発明の１つの実施形態による、認証手続きを実行するための例示的な作動を示す  フローチャートである。
【図１５】本発明の１つの実施形態による、ホスト定義料金を用いた課金手続きに関する例示的な作動を示すフローチャートである。
【図１６】本発明の１つの実施形態による、アクセス識別子が充電ステーションに適用可能な料金規定レコードに適合するか否かを判定するための例示的な作動を示すフローチャートである。
【図１７】本発明の１つの実施形態による、課金に適用するホスト定義可能料金を決定するための例示的な作動を示すフローチャートである。
【図１８】本発明の１つの実施形態による、充電ステーションに関するホスト定義料金を表示して使用するための例示的な作動を示すフローチャートである。
【図１９】本発明の１つの実施形態による、充電ステーションの例示的な実施形態を示す。
【発明を実施するための形態】
【０００７】
以下の説明において、種々の特定の詳細事項が記載される。しかしながら、本発明の実施形態はこれらの詳細事項がなくても実施できることを理解されたい。場合によっては、この説明を明瞭に理解できるように公知の回路、構造、及び技術は詳細に説明されない。当業者であれば、開示された説明でもって、必要以上の実験を行うことなく適切な機能性を実施できるであろう。
【０００８】
本明細書で「１つの実施形態」、「実施形態」、「例示的な実施形態」等を参照する場合、説明された実施形態は、特定の特徴、構造、又は特性を含むことができるが、全ての実施形態は、特定の特徴、構造、又は特性を含む必要はない。更に、このような語句は、同じ実施形態を参照する必要はない。更に、実施形態に関連して特定の特徴、構造、又は特性が説明される場合、明確に説明されるか否かを問わず他の実施形態に関連してこのような特徴、構造、又は特性を達成することは当業者の知識の範囲内にあると考えられる。
【０００９】
以下の説明及び請求項において、用語「結合（ｃｏｕｐｌｅｄ）」及び「接続（ｃｏｎｎｅｃｔｅｄ）」は、その派生語と共に使用できる。これらの用語は、互いに同義語として意図されていないことを理解されたい。「結合」は、直接的又は間接的に物理的又は電気的接触できる２つ又はそれ以上の要素が相互に協働又は相互に作用することを示すために使用される。「接続」は、相互に結合する２つ又はそれ以上の要素の間でコミュニケーションを形成することを示すために使用される。
【００１０】
電気自動車を充電する充電ステーションのホストが定義可能な料金設定のための方法及び装置が開示される。本発明の１つの実施形態において、１つ又はそれ以上の充電ステーション（及び場合によっては関連の駐車スペース）を管理（例えば、所有又はリース）する充電ステーションのホストは、充電ステーションのネットワークオペレータが提供するインタフェースを用いて、充電ステーションのネットワークサーバを介して１つ又はそれ以上の充電ステーションについての電気自動車の充電料金を設定できる。充電ステーションは、充電ステーションのネットワークサーバ（以下「サーバ」）を用いてネットワーク接続される。充電ステーションのネットワークオペレータ（以下「ネットワークオペレータ」）は、一般にホストから離れたエンティティであり、ホストの利益のために（一般に無料で）システムの一部のネットワークを操作する。ネットワークオペレータは、一般に充電ステーションを設計してこれをホストに販売する。ある状况下において、ネットワークオペレータはホストでもある。
【００１１】
ホストは、ネットワークオペレータが提供するサーバ（例えば、ホストポータル）上のインタフェースを用いて充電ステーションを設定するが、充電ステーションにおける１つ又はそれ以上の電気自動車の充電料金の設定を含んでいる。インタフェースにより、ホストは、複数の異なる料金オプション及び設定値に基づいて充電ステーションの電気自動車の充電料金を柔軟に設定できる。例えば、ホストは、１つ又はそれ以上の充電ステーションに適用される充電セッションの間の、１つ又はそれ以上の充電セッション毎、充電セッションの間に経過した時間毎（又は他の時間長さ）、及び伝達エネルギ量毎（「車両から電力網」（Ｖ２Ｇ））において、電力網から消費される又は電力網に供給される）（例えば、キロワット時（ｋＷｈ））の料金を規定できる。特定の実施形態において、ホストは、前記の組み合わせ（例えば、充電ステーション及び関連の駐車スペースを使用するための時間当たり５ドル＋ｋＷｈ当たり４０セント）に基づいて、充電ステーションを使用する（及び／又は、関連するスペースに駐車する）料金を設定できる。「車両から電力網」（Ｖ２Ｇ）環境において、総コストは正味のエネルギ伝達に基づくことができ、電気自動車の運転者はホストが設定した料金に応じて計上するか又は引き落とされることになる。本明細書で使用する場合、充電セッションは、限定された期間であり（ホストポータル１５０を使用するホストが設定できる）、電気自動車と充電ステーションとの間でエネルギが伝達される。
【００１２】
また、ホストは、インタフェースを使用して、１つ又はそれ以上の充電ステーションに関する時間及び／又はデータに依存した料金を設定できる（例えば、昼間の充電は夜間の充電とは異なる料金とすることができ、週日の充電は週末の充電とは異なる料金とすることができ、休日の充電は平日とは異なる料金とすることができる）。また、ホストは、１つ又はそれ以上の充電ステーションに関して、インタフェースを使用して種々の電気自動車の運転者に関する料金を設定できる（例えば、ある電気自動車の運転者は支払を免除され、ある電気自動車の運転者は追加料金の支払を要求され、ある電気自動車の運転者は割引料金で支払うことができる）。また、ホストは、インタフェースを使用して、充電ステーションが開放モード（例えば、あらゆる電気自動車の運転者がアクセスできる）又は制限モード（例えば、特定の電気自動車の運転者だけがアクセスできる）のうちのいずれで営業すべきか、及び／又はいつ営業すべきかを規定できる。また、ホストは、インタフェースを使用して種々の充電ステーション及び／又は充電ポイント接続部に関して異なる料金を設定できる（例えば、ＳＡＥ  Ｊ１７７２コネクタを備える取り付け式充電コード、ＮＥＭＡ（全国電機製造業者協会）規格５−１５、５−２０、１４−５０、又は他の規格（例えば、ＢＳ１３６３、ＣＥＥ７等）電源コンセント準拠等）。また、ホストは、インタフェースを使用して種々のアンペア数に関して異なる料金を設定できる。例えば、ホストは、インタフェースを使用して高いアンペア数（例えば、６０アンペア）を引き込む電気自動車に対して、低いアンペア数（例えば、３０アンペア）を引き込む他の電気自動車よりも高い料金を設定できる。
【００１３】
また、ホストは、インタフェースを使用して、前述の１つ又はそれ以上のものを組み合わせて、充電ステーションに関して柔軟に料金スキームを設定できる。
１つの実施形態において、ホストが１つ又はそれ以上の充電ステーションで電気自動車を充電する料金を設定した後に、サーバは、充電ステーションに料金を伝送する。充電ステーションは料金を読み取って、潜在顧客に対する電気自動車を充電する適切な料金を表示できる。
【００１４】
図１は、本発明の１つの実施形態による、例示的な電気自動車充電ステーションネットワークを示す。ホスト１０５は、充電ステーション１１０Ａ−１１０Ｎを所有し、ホスト１１５は充電ステーション１２０Ａ−１２０Ｌを所有する。ホスト１０５及び１１５の各々は、法人、公益企業、政府機関、アパート／マンション所有者、又は充電ステーションを管理する（例えば、所有又はリーズで）他のエンティティとすることができる。充電ステーション１１０Ａ−１１０Ｎ及び１２０Ａ−１２０Ｌは、充電ステーションのネットワークサーバ（以下「サーバ」）１４０に結合される。サーバ１４０は、ネットワークオペレータ（図示せず）が所有して及び管理するが、ホスト１０５及び１１５の少なくとも１つとは異なるエンティティである。一般に、ネットワークオペレータは、充電ステーション１１０Ａ−１１０Ｎ及び１２０Ａ−１２０Ｌを設計して販売する。
【００１５】
充電ステーション１１０Ａ−１１０Ｎ及び１２０Ａ−１２０Ｌは、電気自動車に対する充電サービスを提供する。つまり、電気自動車は充電ステーション１１０Ａ−１１０Ｎ及び１２０Ａ−１２０Ｌを使用して充電できる。特定の実施形態において、いくつかの充電ステーションは、ホストが決定した充電セッションの料金で電気自動車の運転者が充電セッション毎の充電サービスへの支払を行うことができるよう、ホストによって設定される。別の実施形態において、いくつかの充電ステーションは、ホストが決定した充電セッションの料金で電気自動車の運転者が充電セッションの期間（時間）に基づいて充電サービスへの支払を行うことができるよう、ホストによって設定される。別の実施形態において、いくつかの充電ステーションは、ホストが決定した充電セッションの料金で電気自動車の運転者が充電セッションの間に伝達されたエネルギ量（例えば、キロワット時（ｋＷｈ））に基づいて充電サービスへの支払を行うことができるよう、ホストによって設定される。更に別の実施形態において、いくつかの充電ステーションは、電気自動車の運転者が２つ又はそれ以上の上記（セッション毎の支払、時間毎の支払、伝達エネルギ量毎の支払）から選択できるように、ホストによって設定される。一般に、充電セッションの長さは、電気自動車がその時間で完全に充電できる長さに設定される。充電セッションが設定時間を超える場合には、新しい充電セッションを生成して電気自動車の運転者に課金できることを理解されたい。
【００１６】
充電ステーション１１０Ａ−１１０Ｎ及び１２０Ａ−１２０Ｌは公共の場所又は私的な場所に配置でき、ホスト１０５及び１１５は、それぞれ時刻及び／又は日付に応じて変わり得る制限モード（特定の電気自動車の運転者だけが利用できる）又は開放モード（全ての電気自動車の運転者が利用できる）で営業できるように設定できる。例えば、いくつかの充電ステーションは、日中（例えば、平日）の間は制限モードで、夕方及び夜間は開放モードで営業するように又はその逆に設定できる。１つの実施形態において、制限モードで営業する充電ステーションは識別子の制限リストを含み（例えば、ホワイトリスト）、その時間に充電ステーションを利用できる電気自動車の運転者を識別するようになっている。
【００１７】
充電ステーション１１０Ａ−１１０Ｎ及び１２０Ａ−１２０Ｌは、種々の充電ポイント接続部を含むことができる。例えば、いくつかの充電ステーションは、電気自動車を充電するためのＳＡＥ  Ｊ  １７７２コネクタを備える取り付け式充電コードを含むことができるが、他の充電ステーションは、標準電源コンセントを含むことができる（例えば、ＮＥＭＡ  （全国電機製造業者協会）規格５−１５、５−２０、１４−５０、又は他の規格（例えば、ＢＳ１３６３、ＣＥＥ７等）に適合し、種々の電圧で作動できる（例えば、１２０Ｖ、２４０Ｖ、２３０Ｖ等））。更に別の充電ステーションは、電気自動車を充電するための取り付け式充電コード及び電源コンセントの両方を含むことができる（時として同時に）。
【００１８】
一般に、電気自動車の運転者は、特定の充電ステーション及び／又は充電ポイント接続部を使用するための認証が必要である。認証要件は、充電ステーションの構成に応じて異なる場合がある。例えば、充電ステーションが開放モード（全ての電気自動車の運転者が利用できる）で営業している場合、認証は、充電サービスへの支払いが適切に認証されていることの保証を含むことができる（例えば、有効なクレジットカード、十分な与信の有効な前払いアカウント、有効な契約等を用いて）。別の実施例として、充電ステーションが制限モードで営業している場合、認証は、電気自動車の運転者及び／又は電気自動車が充電ステーションを利用できるか否かの決定、及び充電サービスに対する支払いが適切に認証されていることの保証も含むことができる。例えば、以下「アクセス識別子」と呼ぶ、電気自動車の運転者に関連する識別子（又は一部の識別子）（例えば、電気自動車の運転者に関連するＲＦＩＤタグ、ユーザネーム／パスワード、電子メールアドレス、電話番号、住所、クレジットカード番号、アカウント番号、ＰＩＮ（個人識別番号）、又は電気自動車の運転者に関連する任意の他の識別情報）又は電気自動車（例えば、ＶＩＮ（車両識別番号））は、アクセスが許可された識別子リスト（例えば、ホワイトリスト識別子）に照らして及び／又はアクセスが許可されていない識別子リスト（例えば、ブラックリスト識別子）に照らしてチェックできる。更に、支払い認証は、クレジットカードが有効か否か、識別子に関連する前払いアカウントが充電サービスに関して十分な与信があるか否か、識別子に関連する契約が存続しているか否か等の決定を含むことができる。
【００１９】
アクセス識別子は、充電ステーションのタイプに基づいて様々に表すことができる。例えば、アクセス識別子がＲＦＩＤタグの場合、電気自動車の運転者は、充電ステーション（又は充電ステーションに伴う支払いステーション）のＲＦＩＤ読み取り装置の近くでＲＦＩＤ使用可能デバイスを通す／振ることで、アクセス識別子を示して充電セッションを要求することができる。別の実施例として、アクセス識別子が電気自動車自体に関連する場合（例えば、車両のＶＩＮ）、アクセス識別子は、車両から（例えば、ＰＬＣ（電力線通信を介して）充電ステーションに伝えることができる。
【００２０】
充電ステーション１１０Ａ−１１０Ｎ及び１２０Ａ−１２０Ｌは、それぞれＷＡＮ（広域網）リンク１７０及び１７５を通してサーバ１４０と通信する。例えば、充電ステーション１１０Ａ−１１０Ｎ及び１２０Ａ−１２０Ｌは、認証要求／応答メッセージをサーバ１４０と交換し、充電セッションデータをサーバ１４０へ送信し、更にそれぞれリンク１７０及び１７５経由でサーバ１４０から料金を受信することができる。リンク１７０及び１７５は、セルラーリンク（例えば、ＣＤＭＡ、ＧＰＲＳ等）、ＷｉＦｉインターネット接続、Ｐｌａｉｎ  Ｏｌｄ  Ｔｅｌｅｐｈｏｎｅ  Ｓｅｒｖｉｃｅ（ＰＯＴＳ）、専用線等とすることができる。図１には示されていないが、特定の実施形態において、１つ又はそれ以上の充電ステーション１１０Ａ−１１０Ｎ及び１２０Ａ−１２０Ｌは、サーバ１４０と直接的に通信する必要はなく、充電ステーション１１０Ａ−１１０Ｎ及び１２０Ａ−１２０Ｌの１つとすることができるゲートウェイデバイス経由で間接的に通信できる。
【００２１】
一般に、サーバ１４０は、充電ステーション１１０Ａ−１１０Ｎ及び１２０Ａ−１２０Ｌに関する認証及び課金手続きを行う。１つの実施形態において、充電ステーション１１０Ａ−１１０Ｎ及び１２０Ａ−１２０Ｌは、電気自動車の運転者を認証する場合に認証要求をサーバ１４０へ送信する。認証要求は、１つ又はそれ以上の充電ステーション識別子（充電ステーションを独自に識別する）及び充電ステーションへのアクセスを開始する場合に電気自動車の運転者が示すアクセス識別子を含む。サーバ１４０は、アクセス識別子が充電ステーションの利用を認められているか否かを決定するが、これは時刻及び／又は日付に依存する場合もある。アクセス識別子が認められており支払いが要求される場合、サーバ１４０は支払い認証手続きを行い、適切な支払い信用照明情報が示されているか否か（例えば、クレジットカードが承認されたか否か、アクセス識別子に関連する前払いアカウントに十分な与信があるか否か、アクセス識別子に関連する有効な契約があるか否か等）を決定するようになっている。サーバ１４０は、充電ステーションの使用を許可するか又は許可しないかの認証応答を充電ステーションに返信する。
【００２２】
充電ステーション１１０Ａ−１１０Ｎ及び１２０Ａ−１２０Ｌは、認証が成功裏に完了するまで通電されない場合がある。例えば、充電ステーションは、電気自動車を充電するために利用できる電流を制御すると共に認証が成功裏に完了するまで充電を許可しない電流制御デバイスを含むことができる。
【００２３】
いくつかの充電ステーション１１０Ａ−１１０Ｎ及び１２０Ａ−１２０Ｌは、電気自動車の運転者の充電ステーションの利用を可能にする必須条件として行われる認証手続きを必要としない場合もある。例えば、いくつかの充電ステーション１１０Ａ−１１０Ｎ及び１２０Ａ−１２０Ｌは、開放モード（全ての電気自動車の運転者が利用可能）で営業して、無料充電（支払い不要）ができる又は充電セッション終了後に支払いを行うことができるように設定できる。
【００２４】
特定の実施形態において、ホスト１０５及び１１５がそれぞれ充電ステーション１１０Ａ−１１０Ｎ及び１２０Ａ−１２０Ｌを使用する料金を規定するので、商取引は、電気自動車の運転者とホスト１０５及び１１５との間である。例えば、ホスト１０５及び１１５は、各々の充電サービス契約プランを電気自動車の運転者に販売する。商取引は電気自動車の運転者とホストとの間であるが、サーバ１４０は、ホスト１０５及び１１５の代わりに課金機能を提供できる。例えば、サーバ１４０は、充電サービスに関する複数の支払い方法（例えば、普通のクレジットカード、ＲＦＩＤクレジットカード、プリペイドカード、又は他の支払い方法）を承認して処理するサービスを提供できる。従って、サーバ１４０はホストのアカウントに与信又は課金することができる。
【００２５】
一般に、充電ステーション１１０Ａ−１１０Ｎ及び１２０Ａ−１２０Ｌは、充電セッションの間又は完了後に精算又は課金のためにサーバ１４０へ充電セッションデータを送信する。充電セッションデータは、１つ又はそれ以上の充電ステーション識別子、充電接続部タイプ、充電セッションのアクセス識別子、充電セッション開始時間、充電セッション停止時間、及び充電セッション時に電気自動車の運転者の電気自動車が消費したエネルギ量（特定の電力量がＶ２Ｇ環境で電力網へ伝達された場合には正味量とすることができる）を含むことができる。また、精算及び課金は、充電セッションの完了前に（つまり、エネルギが電気自動車で消費される前に）行うことができる。例えば、電気自動車の運転者が前払いアカウントを使用してセッション毎に支払っている場合、総コストは（ホストが規定した料金に基づく）、前払いアカウントから差し引いて（例えば、車両運転者のアカウントから引き落とす）、ホストのアカウント（又は少なくとも所定のエネルギ量が伝達されるまで他の保有アカウント）に入金できる。他の実施例として、電気自動車の運転者が前払いアカウントを使用して時間毎に支払っている場合、総コストは（ホストが規定した料金及び充電セッションの期間に基づく）、この前払いアカウントから差し引いてホストのアカウント（又は少なくとも所定のエネルギ量が伝達されるまで他の保有アカウント）に入金できる。
【００２６】
サーバ１４０は、インターネット又は他のネットワーク接続を経由してホスト１０５及び１１５にアクセス可能なホストポータル１５０を含む。１つの実施形態において、ホストポータル１５０は、ウェブブラウザを介してアクセスされるウェブサイトであるが、他の実施形態において、ホストポータル１５０はコマンドラインインタフェース又は他のインタフェースを介してアクセスされる。ホストポータル１５０により、ホスト１０５及び１１５は、充電ステーションを設定して、それぞれ充電ステーション１１０Ａ−１１０Ｎ及び１２０Ａ−１２０Ｌの各々の定義、電気自動車の充電サービスに関する料金設定、を含む他の機能を実行できる。
【００２７】
１つの実施形態において、ホストポータル１５０により、ホスト１０５及び１１５は、充電ステーション及び／又は充電ポイント接続部の各々に関する、充電ステーション及び／又は充電ポイント接続部で可能な充電支払いオプションを設定できる（例えば、充電ステーション及び／又は充電ポイント接続部が、充電セッションベース毎に基づいて、充電セッション時の経過時間に基づいて、充電セッション時の伝達エネルギ量に基づいて、又はこれらの任意の組み合わせに基づいて支払いを承認できるか否か）。
【００２８】
ホストポータル１５０により、ホスト１０５及び１１５は、充電ステーション及び／又は充電ポイント接続部の各々に関する、１つ又はそれ以上の充電セッション毎の料金、充電セッション時の経過時間毎の料金（例えば、単位分当たり、単位時間当たり）、及び充電セッション時の伝達エネルギ量毎の料金（例えば、キロワット時（ｋＷｈ）当たり）を決定できる。ホストポータル１５０により、これらの料金は、時刻及び／又は日付に基づいて様々に設定できる。更に、ホストポータル１５０により、これらの料金は、支払い方法に基づいて様々に設定できる（例えば、クレジットカードでの支払は、プリペイドカードによる支払よりも割高である）。
【００２９】
特定の実施形態において、ホストポータル１５０により、ホスト１０５から１１５は、これらの充電ステーションで対応できる支払い方法を設定できる（例えば、普通のクレジットカード、非接触式クレジットカード、前払いアカウント、スマートカード、現金、近距離通信等）。これは、時刻、日付、電気自動車の運転者の識別情報、充電ポイント接続方式、及び充電セッション支払い方法（例えば、セッション毎、時間毎、エネルギ量毎の１つ又はそれ以上）の１つ又はそれ以上に基づくことができる。
【００３０】
１つの実施形態において、ホストポータル１５０により、ホスト１０５及び１１５は、充電ステーションを使用する車両運転者の識別情報に基づいて異なる料金を設定できる（時刻及び／又は日付で異なることもできる）。例えば、ホストが提供する充電サービスの会員である電気自動車の運転者は、ホストの充電ステーションの１つを使用する充電に関して少額を支払うことになるが、充電サービスの会員でない電気自動車の運転者は、これらの充電ステーションを使用して充電する場合は追加料金を支払う必要がある。別の実施例として、保有電気自動車を管理するホスト（例えば、自治体）は、公共充電（保有車両の一部ではない電気自動車の運転者）に関する料金セットを設定でき、保有車両の電気自動車の運転者に適用できる保有車両の充電用の別の料金セットを設定できる。
【００３１】
また、１つの実施形態において、ホストポータル１５０により、ホスト１０５及び１１５は特定の電気自動車の運転者の支払いを免除できる。これも同様に時刻及び／又は日付に基づくことができ、充電ステーション及び／又は充電ステーションの充電ポイント接続部に特有である。例えば、就業時間中、ホストはサービスに対する従業員の支払を免除できるが（他の人はサービスに対して支払いを行う必要があるが）、就業時間以外では、ホストは各々の車両運転者に充電サービスに対する支払を要求することができる。
【００３２】
特定の実施形態において、ストポータル１５０により、ホストは、充電ステーションの各々に関して、充電ステーションの制限状態を指定することができる（例えば、充電ステーションが制限モードに又は開放モードにあるべきか、及び／又は充電ステーションが制限モード又は開放モードになるべきか）。更に、ホストポータル１５０により、ホストは、これらの充電ステーション及び／又はこれらの充電ステーションの充電ポイント接続部の各々に関して、制限モード時に充電ステーション及び／又は充電ポイント接続部を使用できる（例えば、ホワイトリスト）及び／又は制限モード時に充電ステーション及び／又は充電ポイント接続部を使用できない（例えば、ブラックリスト）、１人又はそれ以上の車両運転者を指定できる。これらのリストは適切な充電ステーションに送信できるか又はサーバ１４０に保持できる。特定の実施形態において、ホストポータル１５０により、ホストは、制限モードでは充電ステーションを利用できない電気自動車の運転者が充電ステーションを利用できるように、追加料金（プレミアム料金）を規定できる。
【００３３】
前述のように、ホスト１０５及び１１５は、ホストが定義可能な料金を設定する場合にサーバ１４０のホストポータル１５０を使用できる。ホストポータル１５０に加えて、サーバ１４０は追加のポータルを含むこともできる。例えば、図２には例示的なサーバ１４０のポータルを示されており、ホストポータル１５０及び電気自動車の運転者ポータル２６０が含まれている。図２に示すように、ホストポータル１５０は、ホスト登録インタフェース２２０、ホスト定義可能料金設定インタフェース２３０、ホスト課金インタフェース２４０、及び充電ステーション状態インタフェース２５０を含む。図１又は図２には示されていないが、サーバ１４０は、データベース（又は遠隔データベースにアクセス）又は充電ステーションコンフィギュレーションデータ、充電セッションデータ、ホストアカウント情報、電気自動車の運転者のアカウント情報、及び他の情報を記憶する他の記憶機構を含むことを理解されたい。
【００３４】
ホスト登録インタフェース２２０により、ホストは、サービスをサーバ１４０に登録でるが、充電ステーションをサーバ１４０に登録することも含んでいる。例えば、ホスト登録インタフェース２２０により、ホストは、連絡先（例えば、名前、会社、住所、電子メールアドレス、電話番号、充電ステーション番号等）を提供できる。図示されていないが、ホストポータルは、一般に登録時に規定される（例えば、ユーザネーム／パスワード等）適切な信用照明情報を有するホストに制限されることを理解されたい。特定の実施形態において、第三者機関はホストの代わりにステーションを登録できる。このような第三者機関は、インストーラポータルにアクセスするインストーラ、又はネットワークオペレータポータルにアクセスするネットワークオペレータを含むことができる。
【００３５】
ホスト課金モジュール２４０により、ホストは、課金情報（例えば、充電ステーションの各々を介して伝達されたエネルギ、所定期間にわたって各々の充電ステーションによって電力網から伝達されたエネルギの総量、所定期間にわたって各々の充電ステーションによって電力網へ伝達された総電力、勘定残高、支払い、請求等）を受信できる。
【００３６】
充電ステーション状態モジュール２５０により、ホストは、充電ステーションの各々の充電状態（例えば、現在の状態（充電、使用可能、使用不能）、充電ステーションの利用率レポート、充電ステーションの各々のエネルギ使用量レポート等）を見ることができる。
【００３７】
ホストは、充電ステーションにサービスを登録した後で、充電ステーションの特定の設定及び初期設定を構成することができる（例えば、充電ステーションの料金明細を規定する）。ホストは、充電ステーションに名前及び他の固有識別情報を割り当てることができる。また、ホストは、一般に同じコンフィギュレーションをもつことになる（例えば、同じ料金規定、同じ制限状態等）充電ステーショングループを作成することができる。図示されていないが、サーバ１４０上の（又はサーバ１４０が遠隔アクセスできる）データベースは、各々のホストの充電ステーションリスト（例えば、充電ステーション番号による）を更新することができる。
【００３８】
ホスト定義可能料金設定インタフェース２３０により、ホスト１０５及び１１５は、それぞれの充電ステーション１１０Ａ−１１０Ｎ及び１２０Ａ−１２０Ｌ及び／又は充電ステーション接続部の各々に関して、充電ステーション及び／又は充電ステーション接続部を利用した電気自動車の充電に対する料金を規定することができる。前述のように、ホスト定義可能料金設定インタフェース２３０により、ホストは、充電ステーションを利用した充電サービスに関する料金を柔軟に規定できる。従って、ホスト定義可能料金設定インタフェース２３０は、ホストが設定可能な異なる料金オプションを提供できる。例えば、各々の充電ステーション及び／又は充電ステーション接続部に関して、ホストは、各々の充電セッションに対する料金、充電時間毎の料金、及び伝達されたエネルギ量（例えば、ｋＷｈ）毎の料金を設定できる。また、ホスト定義可能料金設定インタフェース２３０により、ホストは、時刻及び／又は日付に基づいて異なる料金を設定できる。また、ホスト定義可能料金設定インタフェース２３０により、ホストは、異なる電気自動車の運転者に関して異なる料金を設定できる。
【００３９】
ホスト定義可能料金設定インタフェース２３０により、各々のホストは、充電ステーションに関する料金規定を作成又は変更するために１つ又はそれ以上の充電ステーションを選択できる。充電ステーションに適用される料金規定は、充電ステーションが使用する充電セッションのコストの計算方法を決める。この選択は、実施形態において様々に行うことができる。例えば、１つの実施形態において、ホストは、設定される場合には充電ステーショングループを含むことができる、料金を規定するために選択できる充電ステーションのリストが提示される。別の実施形態において、ホストは、１つ又はそれ以上の充電ステーションの充電ステーション番号又は他の識別子を入力して充電ステーションの料金規定を作成又は変更することができる。別の実施形態において、ホスト定義可能料金設定インタフェース２３０は、料金規定を設定するために、ホストが１つ又はそれ以上の充電ステーションをグラフで見るか又は選択することができる対話型マップモジュールを含む又は使用することができる。
【００４０】
ホスト定義可能料金設定インタフェース２３０は、時刻及び／又は日付に基づいて異なる料金を規定する場合はスケジュール管理モジュールを含む又は使用することができる。１つの実施形態において、スケジュール管理モジュールは、各々の充電ステーションの使用履歴を示す履歴データに結合される。ホストは、この履歴データを使用して高需要及び低需要期間及びそれに応じた設定料金を決定することができる（例えば、ホストは、高需要期間には料金を上げ、低需要期間には料金を下げることができる）。
【００４１】
また、ホスト定義可能料金設定インタフェース２３０により、ホストは、１つ又はそれ以上のホストの充電ステーションに関する料金をグローバルに変更できる。例えば、ホストは、充電ステーション又は選択された充電ステーショングループに関する１つ又はそれ以上の料金をグローバルに上下させることができる。
【００４２】
１つの実施形態において、ホスト定義可能料金設定インタフェース２３０により、ホストは、１つ又はそれ以上の充電ステーション及び／又は充電ポイント接続部の料金を設定するために一度規定して使用することができる料金テンプレートを作成することができる（ホストが将来購入する充電ステーションを含む）。種々の状况に応じて種々の料金テンプレートを作成できる（例えば、無料充電用テンプレート、個人充電用テンプレート、昼間充電用テンプレート、夜間充電用テンプレート等）。
【００４３】
１つの実施形態において、ホスト定義可能料金設定インタフェース２３０により、料金は、ホストに対する電力コストに対する動的な割合として規定できるので（例えば、ホストに対する電力コストの１０パーセント）、充電ステーションに対する電力コストが増大／低減する場合、充電ステーション上の電気気自動車の充電料金は、これに対応して増大／減少することができる。
【００４４】
充電ステーションの充電サービスに関する料金設定後、ホスト定義可能料金設定インタフェース２３０は、その充電ステーション用の対応する料金規定を作成する。料金規定は、適切な充電ステーションに送信される。
【００４５】
図３は、１つの実施形態による、電気自動車充電ステーションのホストが定義可能な料金設定の例示的な作動を示すフローチャートである。図３は、以下に図１の例示的な実施形態を参照して説明するが、図３に示す作動は、図１を参照して説明する以外の実施形態で実施でき、図１を参照して説明する実施形態は、図３を参照して説明するものとは別の作動で実施できることを理解されたい。
【００４６】
ブロック３１０において、ホストポータル１５０は、ホストから選択内容を受信して１つ又はそれ以上のホストの充電ステーションを介して提供される電気自動車の充電サービスに関する料金を定義又は編集することができる。例示的に、ホストは、電気自動車の充電サービスに関する料金を定義又は編集するために、ホストポータル１５０の一部にアクセスする。次にブロック３１０からブロック３１５に進む。
【００４７】
ブロック３１５において、ホストポータル１５０は１つ又はそれ以上の入力制御セットを与え、各ホストが、該ホストに属する１つ又はそれ以上の充電ステーションでの電気自動車の充電に関する１つ又はそれ以上の料金規定を定義できるようになっている。例えば、入力制御は、料金制御を含むことができる（例えば、充電セッション毎の料金を設定する料金フィールド、充電セッション時に経過した時間毎（例えば、毎時）の料金を設定する料金フィールド、及び充電セッション時に伝達されたエネルギ量毎（例えば、ｋＷｈ）の金を設定する料金フィールド）。前述のように、料金は更に時刻及び／又は日付に基づいて決めることができる。従って、料金制御に加えて、特定の実施形態において、ホストに与えられる入力制御は、ホストがその料金を適用する予定の期間を設定できる時刻入力フィールド、及び／又はホストがその料金を適用する予定の日／日付を設定できる日／日付フィールド（例えば、週日、週末、休日、特別な日及び時間等）を含むことができる。更に、ホストは、充電セッション要求時に（電気自動車の運転者によって）提示された識別子に基づいて料金を決めることができる。従って、特定の実施形態において、入力制御は、ホストが特定の料金（及び可能性のある時刻及び／又は日付制限）が適用可能な１つ又はそれ以上の識別子を提供できる、アクセス識別子制御を含むこともできる。例えば、保有電気自動車を制御するホスト（例えば、自治体）は、公共充電用の料金セットを定義すること（保有車両ではない電気自動車の運転者）、及び保有電気自動車の運転者に適用可能な保有車両の充電用の別の料金セットを定義することができる。更に、ホストは、充電ポイント接続部のタイプに基づいた充電サービスの料金を定義できる。例えば、ホストは別の充電ポイント接続部に関して別の料金を定義できる。従って、特定の実施形態において、入力制御は、充電ポイント接続部の入力制御を含むこともでき、ホストは、異なる充電ポイント接続部の料金を定義できる。
【００４８】
次にブロック３１５からブロック３２０に進み、ホストポータル１５０は入力制御を介してホストからの入力を受信するが、この入力は、ホストに属する１つ又はそれ以上の充電ステーションに関する料金規定を決める。最低限、この入力は、１つ又はそれ以上の充電ステーションに適用されることになる電気自動車の充電サービスの料金を含む。しかしながら、この入力は、種々の充電ステーションに適用されることになる複数の料金を含むこともできる。また、この入力は、１つ又はそれ以上の充電ステーションに適用可能な充電セッションの支払い方法（例えば、充電セッション毎、充電セッション時の経過時間毎（例えば、毎時）、充電セッション時に消費されたエネルギ量毎等）に基づく１つ又はそれ以上の料金を含むことができる。また、この入力は、特定の料金を１つ又はそれ以上の充電ステーションに対して適用できる時刻及び／又は日付を示すことができる。また、この入力は、１つ又はそれ以上の充電ステーションに関して、特定のアクセス識別子に対して（及び更に時刻及び／又は日付に基づいて）１つ又はそれ以上の料金を示すことができる。また、この入力は、１つ又はそれ以上の充電ポイント接続部に対して１つ又はそれ以上の料金を示すことができる。前記は入力の実施例であり、ホストは異なる形式の入力を柔軟に組み合わせて電気自動車の充電サービスの料金を設定できることを理解されたい。
【００４９】
次に、ブロック３２５に進み、ホストポータル１５０は、１つ又はそれ以上の充電ステーションに関する入力によってホストが定める料金規定を適用するので、これらの充電ステーションを使用する充電セッションのコストはホストが定義する料金規定に基づいて計算される。例えば、サーバは、充電ステーションの充電セッションに関する課金を行う場合に定義された料金規定を使用する。
【００５０】
１つの実施形態において、定義された料金規定は、適切な充電ステーションに送信される。例えば、図１を参照すると、ホスト１０５が充電ステーション１１０Ａを介して提供された電気自動車の充電サービスの料金を定義する場合、サーバ１４０は、充電ステーション１１０Ａに料金を送信できる。充電ステーションは潜在顧客に料金を表示できる。
【００５１】
特定の実施形態において、料金規定は、時間ベース料金プロファイル及びアクセスリストに基づいて作ることができる。１つの実施形態において、ホストは、ホスト定義可能料金設定インタフェース２３０を用いて、１つ又はそれ以上の時間ベース料金プロファイルを生成及び／又は変更し、１つ又はそれ以上のアクセスリストを生成及び／又は変更、１つ又はそれ以上の料金規定を作成及び／又は変更（時間ベース料金プロファイル及びアクセスリストを使用して）、及び選択された充電ステーション及び／又は充電ポイント接続部に料金規定を適用する。
【００５２】
図４は、１つの実施形態における、サーバ１４０の例示的なホスト定義可能料金設定インタフェースの機能性を示すブロック図である。図４に示すように、ホスト定義可能料金設定インタフェース２３０は、ホストポータル１５０を介して料金規定を設定する機能をホストに提供する場合、ホスト定義可能料金設定モジュール４１０を使用する。ホスト定義可能料金設定モジュール４１０は、時間ベース料金プロファイルモジュール４２０、アクセスリストモジュール４２５、料金規定モジュール４３０、及び料金規定適用モジュール４３５を含む。
【００５３】
時間ベース料金プロファイルモジュール４２０は、ホスト入力に基づいて時間ベース料金プロファイル記憶装置４５０に記憶される時間ベースのプロファイルを作成及び／又は変更する。時間ベース料金プロファイルは、１つ又はそれ以上の期間（例えば、週日、平日の夜、週末、休日、常時、特別な時間及び／又は日付範囲）に関する１つ又はそれ以上の料金を定義する。各々の時間ベース料金プロファイルは、１つ又はそれ以上の時間ベースの料金レコードを含むことができる。各々の時間ベースの料金レコードは、料金が適用されることになる日時を含む特定された期間に関して、単一の充電セッションの支払い方法（セッション毎、時間毎、伝達されたエネルギ量毎、又はこれらの組み合わせ（例えば、１０ドル／時間プラス４０セント／ｋＷｈ））に対して単一の料金を含む。図５は、ホストからの入力に基づく時間ベースのプロファイルの規定のための例示的な作動を示すフローチャートである。図５は、以下に図４及び９の例示的な実施形態を参照して説明するが、図５に示す作動は、図４及び９を参照して説明する以外の実施形態で実施でき、図４及び９を参照して説明する実施形態は、図５を参照して説明するものとは別の作動で実施できることを理解されたい。図９は、ホストポータル１５０の例示的なホストが定義可能な料金設定部２３０を示し、これによりホストは、時間ベース料金プロファイルを作成及び／又は変更することができる。
【００５４】
図５を参照するとブロック５１５において、ホストは、ホスト定義可能料金設定インタフェース２３０を用いて時間ベースのプロファイルを作成することを選択する。図９に関して、ホストは、時間ベース料金プロファイルタブ９０５を選択しており、これによりホストに対して複数のオプションが表示される。次に、ブロック５１５から５２０に進み、ホストは、時間ベースのプロファイル名前フィールド９１０に時間ベースプロファイルの名前を入力する。時間ベースのプロファイル名は、時間ベース料金プロファイルをすぐに特定できるようにホストが使用する。例えば、既存のプロファイルはテーブル９５０においてユーザに表示される。特定の実施形態において、時間ベース料金プロファイル名は随意的であり、又はホストが提供しない場合はデフォルト名が使用される。
【００５５】
次にブロック５２０からブロック５２５に進み、ホストは、料金設定値及び属性をホスト定義可能料金設定インタフェース２３０に入力して、１つ又はそれ以上の期間に関する１つ又はそれ以上の料金を含む、時間ベース料金プロファイルに関する１つ又はそれ以上の時間ベースの料金レコードを作成するようになっている。ホスト定義可能料金設定インタフェース２３０はホストの選択及び設定のための種々の異なるオプションを示す。充電セッション支払いタイプフィールド９１５により、ホストは、複数の充電セッション支払いタイプの間で選択を行い、例えば、消費エネルギ量（例えば、ｋＷｈ）毎、時間毎（例えば、毎時）、充電セッション毎の料金を設定できる。日付フィールド９２０により、ホストは料金が適用される予定の日付を選択できる（例えば、毎日、週日、週末、休日、又は特別な日付範囲）。持続時間フィールド９２５により、ホストは、料金が適用される予定の期間を選択できる。ポートフィールド９３０により、ホストは、料金が適用される予定のポート（充電ポイント接続部）を選択できる。料金フィールド９３５によりホストは料金を設定でき、優先フィールド９４０により、ホストは作成される時間ベースの料金レコードの優先順位を設定できる。優先順位の高い時間ベースの料金レコードは、低い優先順位の料金レコードよりも優先される（例えば、充電セッションのコスト計算時）。
【００５６】
次に、ブロック５２５からブロック５３０に進み、ホスト定義可能料金設定インタフェース２３０はホストから入力を受信して、ホストからの名前及び料金設定値及び属性入力に基づいて、時間ベースのプロファイルを作成するようになっている。例えば、ホストは、送信ボタン９４５を選択する。次に、ブロック５３５に進み、時間ベース料金プロファイルモジュール４２０は、ホスト入力に基づいて時間ベースのプロファイルを作成して、時間ベースのプロファイルを時間ベースのプロファイル記憶装置４５０に記憶する。図５及び９は時間ベース料金プロファイルの作成を示すが、ホスト定義可能料金設定インタフェース２３０（又は同様のインタフェース）は既存の時間ベース料金プロファイルを変更するために利用できることを理解されたい。
【００５７】
図９に示すように、２つの時間ベース料金プロファイル、つまりパブリック料金の時間ベース料金プロファイル及びフリート料金の時間ベースプロファイルが存在する。パブリック料金の時間ベース料金プロファイルは、２つの時間ベースの料金レコード、つまり週日の８：００から１６：００に適用されて料金が＄１０／時間である優先順位の高いレコードと、終日全ての時間に適用されて料金が拒否される優先順位の低いレコードとが存在する。従って、パブリック料金の時間ベース料金プロファイルは、週末又は週日の００：００−０７：５９及び１６：０１−２３：５９には充電できない。フリート料金の時間ベースプロファイルは、単一の時間ベースの料金レコードを含み、終日全ての時間に適用されて料金は無料である。
【００５８】
アクセスリストモジュール４２５は、ホスト入力に基づいて、アクセスリスト記憶装置４５５に記憶されるアクセスリストを作成及び／又は変更する。アクセスリストは、誰が特定の充電ステーション又は充電ステーション接続部を利用できるかを定義する。各々のアクセスリストは、充電ステーションを使用できるアクセス識別子の識別子（又は、識別子サブセット及び／又はワイルドカードの使用）を含むこと、又は充電ステーションを使用できないアクセス識別子の識別子（又は、識別子サブセット及び／又はワイルドカードの使用）を含むことができる。以下に料金規定モジュールを参照して詳細に説明するように、ホストは、アクセスリストを時間ベース料金プロファイルに関連付けできるので、時間ベース料金プロファイルは、アクセスリストに示すような識別子だけに適用される。
【００５９】
図６は、ホスト定義可能料金設定インタフェース２３０を介してホストからの入力に基づいてアクセスリストを規定するための例示的な作動を示すフローチャートである。図６は、以下に図４及び１０の例示的な実施形態を参照して説明するが、図６に示す作動は、図４及び１０を参照して説明する以外の実施形態で実施でき、図４及び１０を参照して説明する実施形態は、図６を参照して説明するものとは別の作動で実施できることを理解されたい。図１０は、ホストがアクセスリストを作成及び／又は変更することを可能にする、ホストポータル１５０の例示的なホスト定義可能料金設定部２３０を示す。
【００６０】
図６を参照すると、ブロック６１５において、ホストは、ホスト定義可能料金設定インタフェース２３０を用いて時間ベースのプロファイルを作成することを選択する。図１０を参照すると、ホストはアクセスリストタブ１００５を選択しており、これによりホストに対して複数のオプションが表示される。次に、ブロック６１５からブロック６２０に進み、ホストは、アクセスリスト名フィールド１０１０にアクセスリストの名前を入力する。アクセスリスト名はアクセスリストをすばやく特定する手段としてホストが使用する。例えば、既存のアクセスリストはテーブル１０４０においてユーザに表示される。特定の実施形態において、時間ベース料金プロファイル名は随意的であり、又はホストが提供しない場合はデフォルト名が使用される。図１０に示すようにテーブル１０４０には２つのアクセスリストが表示される。
【００６１】
次に、ブロック６２０からブロック６２５に進み、ホストは、１つ又はそれ以上のアクセス識別子を入力してアクセスリストを追加するようになっている。図１０を参照すると、ホストは、アクセス識別子フィールド１０２０に複数のアクセス識別子を入力する。アクセス識別子フィールド１０２０にワイルドカードを入力できることを理解されたい。例えば、アクセス識別子入力１２３４＊は、１２３４で始まる全てのアクセス識別子を含むことができる。各々のアクセス識別子はＲＦＩＤ番号、ユーザネーム／パスワード、電子メールアドレス、電話番号、所在地住所、クレジットカード番号、アカウント番号、ＰＩＮ、これらの組み合わせ、又は電気自動車の運転者又はアカウントに関連する任意の他の識別情報、又は電気自動車に関連する識別子（例えば、車両ＶＩＮ）とすることができる。また、ホストは、アクセスタイプフィールド１０１５を用いて、アクセスリストが充電ステーションを使用できる識別子を含むかどうか（例えば、ホワイトリスト識別子）、又はアクセスリストが充電ステーションを使用できない識別子を含むかどうか（例えば、ブラックリスト識別子）を設定する。勿論、手動で入力する識別子とは異なるアクセス識別子を入力できることを理解されたい。例えば、特定の実施形態において、ホストポータル１５０のホスト定義可能料金設定インタフェース２３０は、ホストに対して識別子のファイル（例えば、カンマ区切りファイル、タブ区切りファイル、スプレッドシート等）を提示することができる。
【００６２】
次に、ブロック６２５からブロック６３０に進み、ホスト定義可能料金設定インタフェース２３０はホストからの入力を受信してホストが入力した名前及び識別子に基づいてアクセスリストを作成するようになっている。次にブロック６３５に進み、アクセスリストモジュール４２５は、ホストが入力した名前及びアクセス識別子を使用してアクセスリストを作成して、アクセスリスト記憶装置４５５にアクセスリストを記憶する。図６及び１０は、アクセスリストの作成を示しているが、ホスト定義可能料金設定インタフェース２３０（又は同様のインタフェース）は既存のアクセスリストを変更するために使用できることを理解されたい。
【００６３】
料金規定モジュール４３０は、料金規定記憶装置４６０に記憶される料金規定を作成及び／又は変更する。料金規定は、どの時間ベース料金プロファイルをどのアクセスリストに適用すべきかを定義する。各々の料金規定は、１つ又はそれ以上の料金規定レコードを含むことができる。料金規定レコードは、単一の時間ベース料金プロファイルと単一のアクセスリストとの間のマッピング又は関連付けを含む。従って、各々の料金規定レコードは、何時どの料金を適用すべきか（時間ベース料金プロファイルによって）、及び誰にこの料金を適用すべきか（アクセスリストによって）を決める。
【００６４】
図７は、１つの実施形態による、ホスト定義可能料金設定インタフェースを使用して料金規定を規定する例示的な作動を示すフローチャートである。図７は、以下に図４及び１１の例示的な実施形態を参照して説明するが、図７に示す作動は、図４及び１１を参照して説明する以外の実施形態で実施でき、図４及び１１を参照して説明する実施形態は、図７を参照して説明するものとは別の作動で実施できることを理解されたい。図１１は、１つの実施形態による、ホストがアクセスリストを作成及び／又は変更することを可能にする、ホストポータル１５０の例示的なホスト定義可能料金設定部２３０を示す。
【００６５】
図７を参照すると、ブロック７１５において、ホストは、ホストポータル１５０のホスト定義可能料金設定インタフェース２３０を使用して料金規定を作成することを選択する。図１を参照すると、ホストは料金規定タブ１１０５を選択しており、これにより複数のオプションが表示される。次に、ブロック７１５からブロック７２０に進み、ホストは料金規定の名前を入力する。料金規定名は、料金規定をすばやく特定する手段としてホストが使用する（例えば、料金規定を充電ステーション及び／又は充電ポイント接続部に適用する際に）。例えば、既存の料金規定は、ホストに対してテーブル１１４０で表示される。特定の実施形態において料金規定名は随意的であり、又はホストが提供しない場合はデフォルト名が使用される。
【００６６】
次に、ブロック７２０から７２５に進み、ホストはアクセスリスト及び時間ベース料金プロファイルを選択する。図１１を参照すると、ホストは、アクセスリストフィールド１１１５からアクセスリストを選択して（ホストが以前に作成したアクセスリスト及び／又はデフォルトアクセスリスト（例えば、全て）に追加される）、時間ベース料金プロファイルフィールド１１２０から時間ベース料金プロファイルを選択する（ホストが以前に作成した時間ベース料金プロファイル及び／又はデフォルト時間ベース料金プロファイル（例えば、無料充電）に追加される）。次に、ブロック７３０に進み、料金規定モジュール４３０は、ホストからのマッピング選択内容入力を受信して選択されたアクセスリスト及び時間ベース料金プロファイルに関連させるようになっている。例えば、図１１を参照すると、ホストは、マップボタン１１２５を選択している。次に、ブロック７３５に進み、料金規定モジュール４３０は、選択されたアクセスリスト及び時間ベース料金プロファイルに関する料金規定のための料金規定レコードを作成する。
【００６７】
各々の料金規定は、複数の料金規定レコードを含むことができる。しかしながら、特定の実施形態において、アクセスリストは所定の料金規定において１度だけ使用できる。この実施形態において、アクセスリストが料金規定レコードで示された後、アクセスリストフィールド１１１５で選択することはホストに対する１つのオプションではないであろう。複数の料金規定レコードがある場合、ホストは、レコードを優先順位フィールド１１３０内で上げたり下げたりして相対的な優先順位を指定することができる。高い優先順位の料金規定レコードは、低い優先順位の料金規定レコードよりも優先されることになる。例えば、アクセス識別子は複数の料金規定レコードに出現することができる。例えば、図１０を参照すると、フリートユーザーズアクセスリストのアクセス識別子は、全ての識別子を含む（ワイルドカードで表す）パブリックユーザーズアクセスリストにも含まれる。図１１に戻って、フリートユーザーズアクセスリストは、パブリックユーザーズアクセスリストよりも優先順位が高いレコード内にある。従って、フリートユーザーズリスト内のこれらの識別子は、相対的な優先順位によって、パブリック料金の時間ベース料金プロファイルの代わりにフリート料金の時間ベース料金プロファイルに従って処理できる。
【００６８】
次に、ブロック７３５からブロック７４０に進み、料金規定モジュール４３０は、ホストから料金規定が完了した（換言すると、追加する料金規定レコードがない）という入力を受信する。図１１を参照すると、ホストは、送信料金規定ボタン１１３５を選択する。次に、ブロック７４０から７４５に進み、料金規定モジュール４３０は、ホスト入力に応じて料金規定を作成して、料金規定を料金規定記憶装置４６０に記憶する。
【００６９】
料金規定が設定された後、ホストは、ホストポータル１５０のホスト定義可能料金設定インタフェース２３０を使用してこれらの料金規定を充電ステーション及び／又は充電ポイント接続部に適用することができる。料金規定適用モジュール４３５は、充電ステーション及び／又は充電ポイント接続部への料金規定の適用を行う又は解除するために使用される。図８は、１つの実施形態による、ホスト定義可能料金設定インタフェースを利用して料金規定を１つ又はそれ以上の充電ステーションに適用するための例示的な作動を示すフローチャートである。
【００７０】
図８は、以下に、図４及び１２の例示的な実施形態を参照して説明するが、図８に示す作動は、図４及び１２を参照して説明する以外の実施形態で実施でき、図４及び１２を参照して説明する実施形態は、図８を参照して説明するものとは別の作動で実施できることを理解されたい。図１２は、１つの実施形態による、ホストポータル１５０の例示的なホスト定義可能料金設定インタフェース２３０を示し、これによりホストは、料金規定を１つ又はそれ以上の充電ステーション及び／又は充電ポイント接続部に適用できる。
【００７１】
図８を参照すると、ブロック８１５において、ホストは、料金規定適用手続きの開始を選択する。例えば、図１２を参照すると、ホストは、ホスト定義可能料金設定インタフェース２３０の料金規定適用タブ１２０５を選択する。次に、ブロック８２０に進み、ホストのために定義された料金規定（及び場合によってはデフォルト料金規定）及びホストの充電ステーションがホストに表示される。例えば、図１２を参照するとホストに関する料金規定は、料金規定リスト１２１０のリスト内に表示され、ホストの充電ステーションは、充電ステーションテーブル１２３０に表示される。特定の実施形態において、充電ステーションの充電ポイント接続部もホストに表示される。充電ステーションの選択を可能にするためのテーブルの使用は例示的であり、種々の実施形態において他の方法も使用できることを理解されたい。例えば、特定の実施形態において、ホスト定義可能インタフェース２３０は、対話型マップを含み、これによりホストはグラフで見ること及び１つ又はそれ以上の充電ステーションを選択することができる。
【００７２】
次に、ブロック８２０からブロック８２５に進み、ホストは、料金規定及び該料金規定を適用すべき１つ又はそれ以上の充電ステーションを選択する。例えば、図１２を参照すると、ホストは、料金規定リスト１２１０にリストアップされた料金規定の１つ、及び充電ステーション選択内容チェックボックス１２１５を使用して１つ又はそれ以上の充電ステーションを選択する。特定の実施形態において、ホストは、１つ又はそれ以上の充電ステーションポイント接続部を選択することもできる。次に、ブロック８３０に進み、料金規定適用モジュール４３５は、ホストからの入力を受信して、選択された料金規定を選択された充電ステーションに適用するようになっている。例えば、料金規定適用モジュール４３５は、特定の料金規定を充電ステーション（又は、選択された場合は充電ポイント接続部）と関連付けることにより、充電ステーション情報記憶装置４６５を更新する。以下に詳細に説明するように、充電ステーションを利用した車両運転者の認証及び課金は、充電ステーションに料金規定を適用することで影響を受ける場合もある。
【００７３】
図２に戻ると、サーバ１４０は電気自動車運転者ポータル２６０も含む。ポータル２６０は、電気自動車運転者登録インタフェース２７５、充電ステーションロケータインタフェース２８０、充電状態インタフェース２８５、及び電気自動車運転者課金インタフェース２９０を含む。電気自動車運転者登録インタフェース２７５により、潜在顧客（例えば、電気自動車運転者）は、充電サービスにサインアップすることができる。例えば、電気自動車運転者登録インタフェース２７５は、電気自動車の運転者からコンタクトポイント情報（例えば、名前、住所、電子メールアドレス、電話番号等）、電気自動車の種類及び／又は電力貯蔵デバイスの種類、及びサービスプラン情報を収集する。
【００７４】
また、本発明の特定の実施形態において、電気自動車運転者登録インタフェース２７５により、運転者は、特定のイベントが発生した場合に通知メッセージを受信するための通知メッセージ選択を行うことができる。例えば、各運転者は、通知メッセージ選択を行って、関与する各イベント（運転者が通知メッセージの受信を望む各イベント）に関する通知メッセージを受信することができる。関与するイベントは、１つ又はそれ以上の充電セッションの停止又は終了イベント、１つ又はそれ以上の充電状態イベント、１つ又はそれ以上の更新イベント、１つ又はそれ以上の駐車イベント、及び／又は１つ又はそれ以上の警報イベントを含むことができる。例えば、各運転者は、関与するイベントに関する通知メッセージ選択を行うことができる（そのイベントに関する通知メッセージを受信することを望むか否かに関わらず）。イベントとしては、車両が完全充電された、充電が中断された（例えば、充電コードが車両から取り外された又は断ち切られた、ステーションの停電が生じた等）、充電が完了した、充電がほぼ完了した、電力網を運営する公益企業が車両の充電を中断した（例えば、電力網の負荷がデマンドレスポンド閾値を超えた）、運転者が充電コードを車両に差し込むのを忘れた等を挙げることができる。車両運転者は、前述の関与するイベントの１つ又は任意に組み合わせたものを受信するよう選択できる。更に、運転者は、通知メッセージの形式を選択できる（例えば、電子メール、テキストメッセージ等で受信する）。更に、運転者は、通知メッセージに特有の１つ又はそれ以上のコンタクトポイントを提供できる（例えば、電子メールアドレス、テキストメッセージアドレス（例えば、電話番号）等）。１つ又はそれ以上のイベントはデフォルト通知メッセージ選択値をもつことができる点を理解されたい。
【００７５】
充電ステーションロケータインタフェース２８０により、電気自動車の運転者は、充電ステーション（利用できる及び／又は利用できない充電ステーション）を探すことができる。１つの実施形態において、充電ステーションロケータインタフェース２８０により、電気自動車の運転者は、料金及び／又は充電ポイント接続部のタイプに基づいて、検索を制限すること又は充電ステーションを取り除くことができる。充電ステーションロケータインタフェース２８０は、充電ステーションを探すために、車両運転者に対話型マップを提供できる。また、充電ステーションロケータインタフェース２８０は、充電ステーションが利用可能になる予定時間を提供できる。また、電気自動車の運転者は、充電ステーションロケータインタフェース２８０を使用してお気に入りの充電ステーションのリストを作成でき、サーバ１４０は、これらの利用可能性をモニタしてこれらの充電ステーションが利用できる及び／又は利用できない場合にユーザに知らせることができる（例えば、電子メール又はテキストメッセージを介して）。更に、本発明の特定の実施形態において、運転者は、充電ステーションロケータインタフェース２８０を使用して将来使うために充電ステーションを予約することができる。
【００７６】
充電状態インタフェース２８５により、運転者は、電気自動車（現在充電中の）の充電状態を判定できる。本発明の１つの実施形態によれば、充電状態インタフェース２８５は、充電状態情報を運転者に示す（例えば、現在伝達されている電力量、伝達された総電力量、伝達されたエネルギ量、伝達されたエネルギの総量、充電セッションの継続時間、車両充電の予想残り時間等）。
【００７７】
電気自動車運転者課金インタフェース２９０により、運転者は、課金情報を見直すこと（例えば、契約、支払い及び／又は請求情報に残っているセッション数、電力網へ伝達されたエネルギ量、前払いクレジットの残量等）、及び／又はレポートを作成することができる（例えば、電力網から消費した電力を説明する、電力網へ伝達した電力を説明する、電気自動車の使用を通して節約したガソリン量の推量を説明する、電気自動車の使用を通して産出量を節約した温室効果ガス量を説明する、電気自動車の使用を通して節約したガソリンコストの金額を説明する等）。更に、電気自動車運転者課金モジュール２９０により、電気自動車の運転者は、最も頻繁に利用した充電ステーションの履歴を見ることができる。また、電気自動車運転者課金インタフェース２９０により、電気自動車の運転者は、前払いアカウントにクレジットを追加することができる。
【００７８】
前述のように、ホストが１つ又はそれ以上の充電ステーションに関する料金を定義した後、料金は充電ステーションに適用される。このことは充電ステーションにおける充電セッションに対する課金に影響を与える場合がある。図１３は、本発明の特定実施形態において実行される例示的な認証及び課金手続きを示すブロック図である。図１３は、以下に図１４、１５、及び１６の例示的なフローチャートを参照して説明するが、図１３は、図１４、１５、及び１６を参照して説明するもの以外の作動で実施でき、図１４、１５、及び１６は、図１３を参照して説明するものとは別の実施形態で実施できることを理解されたい。
【００７９】
認証モジュール１３１０は、アクセス認証モジュール１３１５及び支払い認証モジュール１３２０を含む。アクセス認証モジュール１３１５は、電気自動車の運転者が示すアクセス識別子が要求時に充電ステーションを利用することが認証されているか否かを判定する。アクセス識別子が充電ステーションの使用を認証され、支払い認証が必要な場合、支払い認証モジュール１３２０は、適切な支払い信用照明情報が示されているか又はさもなければアクセス識別子に関連するアカウントが適切な状態にあるか否かを判定する。
【００８０】
図１４は、１つの実施形態による、認証手続きを実行するための例示的な作動を示すフローチャートである。ブロック１４１０において、充電ステーションは、電気自動車の運転者から充電セッション要求を受信している。この要求は、電気自動車の運転者に関連するアクセス識別子を含む。アクセス識別子は、複数の方法で示すことができ、異なる運転者では異なるものとすることができる。例えば、アクセス識別子は、ＲＦＩＤタグ（例えば、スマートカード、非接触式クレジットカード等）、ユーザネーム／パスワード、電子メールアドレス、電話番号、住所、クレジットカード番号、アカウント番号、ＰＩＮ（個人識別番号）、又は電気自動車の運転者に関連する任意の他の識別情報とすることができ、又は電気自動車に関連する識別子（例えば、車両のＶＩＮ）とすることができる。また、特定の実施形態において、充電セッション要求は充電セッション支払い方法（例えば、充電セッション毎、時間毎、経過電流毎）を含み、これは電気自動車の運転者が選択できるか又は要求タイプから導き出すことができる。また、特定の実施形態において、充電セッション要求は、要求された充電量（例えば、時間（例えば、１時間）、エネルギ量、合計金額（例えば、エネルギ又は充電時間について１０ドル）等）を含む。
【００８１】
次に、ブロック１４１０からブロック１４１５に進み、充電ステーションは、認証要求をサーバに送信してアクセス識別子を認証するようになっている。認証要求は、充電ステーションを独自に識別する充電ステーション識別子及びアクセス識別子を含む。また、認証要求は、充電セッション要求の時間を含むことができる（又は、要求の時間は、認証要求の到来に基づいてサーバで推定できる）。また、認証要求は、充電セッション支払い方法、及び充電セッション要求に含まれる場合は要求された充電量を含むことができる。また、認証要求は、要求が対象とする充電ポイント接続部のタイプを識別する、充電ポイント接続部識別子を含むことができる。図１３を参照とすると、認証モジュール１３１０は、充電ステーションから認証要求を受信する。次に、ブロック１４１５からブロック１４２０に進む。
【００８２】
ブロック１４２０において、認証アクセスモジュール１３１５は、認証リスト１３３５にアクセスすることで、アクセス識別子が認証されていない識別子リストにあるか否かを判定する。例えば、サーバ１４０は、不正アカウント又はさもなければ良好な状態ではないアカウントに関連することが知られている識別子リストを保持することができる。アクセス識別子がこのようなリストにある場合、次に、ブロック１４２５に進み、認証モジュール１３１０は、認証失敗応答メッセージを充電ステーションに送信する。次に、充電ステーションは、充電セッションを要求している車両運転者へ適切なエラーを表示する。アクセス識別子がこのリストに無い場合、ブロック１４３０に進む。
【００８３】
ブロック１４３０において、認証アクセスモジュール１３１５は、充電ステーション及び／又は充電ポイント接続部に関する適切な料金規定にアクセスする。図１３に示すように、料金規定は、図４に関連して時間ベース料金プロファイル記憶装置４５０、アクセスリスト記憶装置４５５、及び料金規定記憶装置４６０を含む、時間ベース料金及びアクセス情報１３７０の一部として記憶される。次に、ブロック１４３５に進む。
【００８４】
ブロック１４３５において、認証アクセスモジュール１３１５は、料金規定に基づくアクセス識別子の現時点での充電ステーションの使用が認証されているか否かを判定する。例えば、アクセス識別子が、充電ステーション（又は充電ポイント接続部）に適用可能な料金規定にアクセスが認められているアクセスリストに示されていない場合、アクセス識別子は充電ステーションを使用することは認められない。アクセス識別子が現時点で充電ステーションの使用が認められていない場合、ブロック１４２５に進むが、そうでない場合はブロック１４４０に進む。
【００８５】
例えば、図１６は、本発明の１つの実施形態による、充電ステーションに適用可能な料金規定レコードに適合するか否かを判定するための例示的な作動を示すフローチャートである。ブロック１６１０において、手続きは、料金規定の高い優先順位レコードから始まる。次に、ブロック１６１５に進み、アクセス認証モジュール１３１５は、アクセス識別子が料金規定レコードに適合するか否かを判定する。アクセス識別子は料金規定レコードの識別子に厳密に適合しないこと、つまり、アクセス識別子は料金規定レコードのワイルドカード識別子に適合することを理解されたい。適合する場合、ブロック１６３０に進むが、そうでなければブロック１６４０に進む。
【００８６】
ブロック１６３０において、認証アクセスモジュール１３１５は、適合する料金規定レコードの時間ベース料金プロファイルにアクセスし、次に、ブロック１６３５に進む。ブロック１６３５において、認証アクセスモジュール１３１５は、このレコードの時間ベース料金プロファイルが、現時点で充電ステーションへのアクセスが認められていることを示すか否かを判定する。例えば、図９を参照すると、パブリック料金の時間ベース料金プロファイルは、２つの時間ベース料金プロファイルレコードを含み、一方は週日の０８：００−１６：００の間の充電を許可し、他方は週末及び週日の００：００−０７：５９及び１６：０１−２３：５９の充電を拒否する。従って、アクセス識別子が料金規定のアクセスリストに含まれる場合でも、この識別子は、目下のところ充電ステーションを利用できない場合がある。時間ベース料金プロファイルが、現時点において（日／日付を含む）、アクセス識別子の充電ステーションの使用が認証されていないことを示す場合、ブロック１６５５に進み、別のアクションが行われる（例えば、認証モジュール１３１０が認証失敗応答メッセージを充電ステーションに送信する、認証モジュール１３１０がアクセス識別子に関する車両運転者に、故障を知らせる及び／又は車両運転者が充電ステーションを利用できる通知メッセージを送信する等）。時間ベース料金プロファイルが、現時点において、アクセス識別子の充電ステーションの使用が認証されていることを示す場合、ブロック１６５０に進み、料金は時間ベース料金プロファイルから決定され、アクセスが可能になる。しかしながら、支払い認証の実行は依然として必要であることを理解されたい。
【００８７】
ブロック１６４０に戻ると（アクセス識別子が料金規定レコードに適合しない）、アクセス認証モジュール１３１５は、料金規定に他のレコードが存在するか否かを判定する。存在する場合、ブロック１６４５に進み、アクセス認証モジュール１３１５は、料金規定の次に優先順位の高いレコードにアクセスしてブロック１６２０に進む。存在しない場合、ブロック１６５５に進み、別のアクションが行われる（例えば、認証モジュール１３１０が認証失敗応答メッセージを充電ステーションに送信する、認証モジュール１３１０がアクセス識別子に関する車両運転者に故障を知らせる通知メッセージを送信する等）。
【００８８】
特定の実施形態において、図１６に示す作動は、最大詳細適合メカニズムを用いて増強でき、適切な料金規定レコードを決定してアクセス識別子の最も詳細な適合に基づいて使用するようになっている。例えば、ホストは、ベストマッチを検索するように適合メカニズムを設定できる。アクセス識別子「１２３４５６」について考えると、これは識別子「１２３＊」をもつアクセスリストに適合できると共に識別子「１２３４５６」をもつ別のアクセスリストに適合できる。最大詳細適合メカニズムを使用する場合、識別子「１２３＊」をもつアクセスリストに比べてアクセス識別子により詳細に適合するので、識別子「１２３４５６」をもつアクセスリストが使用される。その結果、識別子「１２３４５６」に関連する料金／アクセス情報が使用されることになる。
【００８９】
図１４に戻ると、ブロック１４４０において（アクセス識別子の充電ステーションの使用が認証される）、認証モジュール１３１０は、支払い認証が必要とされるか又は要求されるか否かが判定される。例えば、電気自動車の運転者がクレジットカードで支払っている場合、クレジット支払い認証手続きを行ってクレジットカードが承認されたか否かを判定できる。他の実施例として、電気自動車が前払いアカウントで支払っている場合、支払い認証を行ってアカウントに十分な残高があるか否かを判定する。支払い認証が必要ない場合（例えば、無料である、電気自動車の運転者が現金で支払っている等）、ブロック１４５０に進み、認証モジュール１３１０は、認証成功応答メッセージを充電ステーションに送信する。支払い認証が必要な場合、ブロック１４４５に進む。
【００９０】
ブロック１４４５において、支払い認証モジュール１３２０は支払い認証手続きを行う。例えば、前払いアカウントで支払う場合（使用するアクセス識別子タイプから導き出すことができる）、支払い認証モジュール１３２０は、電気自動車運転者の最新の残高を含むアカウント情報を記憶する、電気自動車運転者アカウント情報１３４０にアクセスして、充電セッションに対して十分な与信があるか否かを判定する。電気自動車運転者アカウント情報１３４０がサーバ１４０上にあるように示されているが、特定の実施形態において、ホストは、支払い認証モジュール１３２０を介してアクセスされる自分の電気自動車運転者アカウント情報を保持することを理解されたい。別の実施例として、クレジットカードで支払う場合、支払い認証モジュール１３２０は、クレジットカード認証チェックを行い、クレジットカードは承認されるか否かを判定する。支払い認証が通過しない場合、ブロック１４２５に進み、そうでない場合はブロック１４５０に進む。
【００９１】
特定の実施形態において、認証成功応答メッセージは、アクセス識別子がどれだけの時間及び／又はエネルギを許可するかを示す。例えば、アクセス識別子に関連する前払いアカウントが１時間の充電に対するクレジットをもつと仮定する。認証成功応答メッセージ（又は他のメッセージ）は、充電ステーションに１時間が限度の充電を許可するように命令できる（この時間の後に充電ステーションは電源を切り、アカウントに更なるクレジットが付与されるまで充電を阻むことができる）。また、前払いアカウントが所定のクレジット閾値以下の場合は、アクセス識別子に関連する電気自動車の運転者に通知メッセージを送ることができる。
【００９２】
図１５は、１つの実施形態による、ホスト定義料金を使用する課金手続きの例示的な作動を示すフローチャートである。１つの実施形態において、サーバ１４０は、充電ステーション１１０Ａ−１１０Ｎ及び１２０Ａ−１２０Ｌに関するホスト１０５及び１１５の代わりに精算及び課金を行う。ブロック１５１０において、課金モジュール１３３０は充電セッションから充電セッションデータを受信する。充電セッションデータは、１つ又はそれ以上の充電ステーション識別子、充電接続部タイプ識別子、充電セッションに関するアクセス識別子、充電セッション開始時間、充電セッション終了時間、及び充電セッション時に電気自動車が消費したエネルギ量を含む。特定の実施形態において、消費されるエネルギ量は、２つ又はそれ以上の料金期間にわたって延びる。このような実施形態において、充電ステーションは、異なる期間でプログラムできる（例えば、ホストで定義されるような）、プログラム可能使用時間エネルギメータを含むことができるので、異なる期間に対して異なるエネルギ読み込みを行うことができる。次に、ブロック１５２０に進む。
【００９３】
ブロック１５２０において、課金モジュール１３３０は、充電ステーションに適用される料金規定を決定する。例えば、充電ステーション識別子及び／又は充電接続部タイプに基づいて、課金モジュール１３３０は、時間ベース料金及びアクセス情報１３７０の料金規定記憶装置にアクセスして適用可能な料金規定を決定するようになっている。ブロック１５２５に進み、課金モジュール１３３０は、料金規定から充電セッションに適用する料金を決定する。１つの実施形態において、１つの実施形態による、適用する料金を決定するための例示的な作動を示すフローチャートである図１７を参照して説明する作動は、適用する料金を決定するために使用される。図１７を参照すると、ブロック１７１０において、手続きは料金規定の優先順位の高いレコードから始まる。ブロック１７１５に進み、課金モジュール１３３０はアクセス識別子が料金規定レコードに適合するか否かを判定する。アクセス識別子は料金規定レコードの識別子に厳密に適合しないこと、つまり、アクセス識別子は料金規定レコードのワイルドカード識別子に適合することを理解されたい。適合する場合、ブロック１７３０に進むが、そうでなければブロック１７４０に進む。
【００９４】
ブロック１７３０において、課金モジュール１３３０は、適合する料金規定レコードの時間ベース料金プロファイルにアクセスし、次に、ブロック１７３５に進む。ブロック１７３５において、課金モジュール１３３０は、計算のために料金プロファイルの料金を使用する。ブロック１７４０に戻って、（アクセス識別子が料金規定レコードに適合しない）、課金モジュール１３３０は、料金規定に他のレコードが存在するか否かを判定する。存在する場合、ブロック１７４５に進み、課金モジュール１３３０は、料金規定の次に優先順位の高いレコードにアクセスしてブロック１７２０に戻る。存在しない場合、ブロック１７５５に進み、別のアクションを行う（例えば、デフォルト料金を使用する、料金エラーをホストに警告する通知メッセージをホストに送信する等）。
【００９５】
特定の実施形態において、図１７に説明する作動は、図１６を参照して説明したように、最大詳細適合メカニズムを用いて増強でき、適切な料金規定レコードを決定してアクセス識別子の最も詳細な適合に基づいて使用するようになっている。
【００９６】
図１５に戻って、課金モジュール１３３０がどのホスト定義料金を適用するかを決定した後、ブロック１５３０に進み、課金モジュール１３３０は、充電セッションのコストを計算する。次に、ブロック１５３５に進み、課金モジュール１３３０は、アカウントを照合する。例えば、課金モジュール１３３０は、必要に応じてホストアカウント情報１３５０のホストのアカウントに与信を与えることができる（ネットワークオペレータが課金した何らかの料金を差し引いて）。また、課金モジュール１３３０は、ホストの代わりに、電力を供給する電力会社から充電ステーションを介して消費した電力の料金を計上することができる。
【００９７】
１つの実施形態において、料金規定は充電ステーションに送信される。充電ステーションは、料金規定を読み取って電気自動車を充電するための現在の料金及び利用可能性を表示する（例えば、制限モード又は開放モードであるかどうか）。特定の実施形態において、認証要求をサーバに送信する代わりに、充電ステーションは記憶した料金規定のコピーに基づいて局所的に充電セッション要求を認証するかどうかを判定できる。料金規定が変更された場合（例えば、料金が変更された、アクセスリストの識別子が追加／削除／変更された等）、更新された料金規定が各々の適用可能な充電ステーションに送信される。
【００９８】
特定の実施形態において、充電ステーションは、異なる期間でプログラムできる、プログラム可能使用時間エネルギメータを含むことができるので、異なる期間に対して異なるエネルギ読み込みを行うことができる。例えば、充電セッションは、複数の期間にわたることができ（例えば、昼間の充電及び夜間の充電）、プログラム可能使用時間エネルギメータは、複数の期間に対するエネルギ量を記録するために使用できる。
【００９９】
特定の実施形態において、充電ステーションは、充電コストをリアルタイムに計算して表示することができる。例えば、充電サービスへの支払が充電セッション時の経過時間に基づいて行われる場合、充電ステーションは、ホストが設定した料金及び経過時間に基づいてコストを計算する。他の実施例として、充電サービスへの支払が充電セッション時に消費したエネルギ量に基づいて行われる場合、充電ステーションは、ホストが設定した料金及び消費エネルギ量に基づいてコストを計算する。充電ステーションは、コスト計算を一定期間ごと（例えば、数秒ごと）に行うことができる。
【０１００】
図１８は、本発明の１つの実施形態による、ホスト定義料金を表示及び使用するための充電ステーションの例示的な作動を示すフローチャートである。ブロック１８１０において、充電ステーションは、アクセス識別子を含む充電セッション要求を受信する。特定の実施形態において、車両運転者は、充電ステーション（又は充電ステーションに伴う支払いステーション）のＲＦＩＤ読み取り装置の近くでＲＦＩＤ使用可能デバイスを通す／振ることで、充電ステーションに充電セッションを要求することができる。勿論、充電セッションは、異なる実施形態において異なる方法で要求できる（例えば、充電ステーションのユーザインタフェースを使用して、遠隔アプリケーションを使用して（例えば、携帯電話又はラップトップ上のアプリケーション）、電気自動車を経由して（例えば、ＰＬＣを経由して送信される車両のＶＩＮ）等）。また、要求は、充電接続ポイントタイプを示すことができる。次に、ブロック１８１０からブロック１８２０に進む。
【０１０１】
前述のように、特定の実施形態において、充電ステーションは、ホストが定義した料金規定を記憶する。従って、ブロック１８２０にいて、充電ステーションは、ホストが定義した料金規定にアクセスする。次に、ブロック１８３０に進み、充電ステーションは、アクセス識別子に適用可能な料金を決定する。例えば、充電ステーションは、図１７に説明する作動を行ってアクセス識別子に対して適切な料金を決定する。また、アクセスした時間ベース料金プロファイルレコードに応じて、充電ステーションは、充電セッション要求の時間を利用してアクセス識別子に対して適切な料金を決定することができる。複数の料金が存在することを理解されたい（例えば、セッション毎の充電料金、時間毎の充電料金、伝達されたエネルギ量毎の充電料金、又はこれらの組み合わせ等）。次に、ブロック１８に進み、充電ステーションはユーザに料金を表示する。次に、ブロック１８４０からブロック１８４５に進む。
【０１０２】
ブロック１８４５において、充電ステーションは、電気自動車の運転者から充電セッション確認を受信したか否かを判定する。充電セッション確認は、電気自動車の運転者が充電セッションの継続を望むことを示す（例えば、電気自動車の運転者が料金を受諾した）。充電セッション確認は、充電セッション要求と同じ方法で受信できる。例えば、電気自動車の運転者は、ＲＦＩＤ読み取り装置の近くでＲＦＩＤ使用可能デバイスを通す／振ることで、充電セッションを確認することができ、充電ステーション（又は充電ステーションに伴う支払いステーション）のユーザインタフェースを使用して確認意思を示すことができる。また、複数の充電セッション支払いオプションが示される場合（例えば、セッション毎の支払い、時間毎の支払い、エネルギ量毎の支払い）、充電セッション確認は、各支払いオプションのうちの１つ選択内容を含む。充電セッション確認を受信する場合、ブロック１８５０に進み、充電ステーションは認証要求をサーバへ送信する。サーバは、図１３−１４を参照して説明したのと同じ方法で認証手続きを行う。充電セッション確認を受信しない場合、ブロック１８７０に進み、別のアクションが行われる（例えば、充電セッションのキャンセル）。
【０１０３】
ブロック１８５５において、充電ステーションは、サーバから認証成功応答メッセージを受信したか否かを判定する。認証失敗応答を受信した場合、ブロック１８７０に進み、別のアクションが行われる（例えば、充電ステーションがエラーメッセージを表示する、通知メッセージを電気自動車の運転者に送る等）。サーバが応答しない場合（例えば、接続がダウンする）、同様にブロック１８７０に進み、別のアクションが行われる（例えば、充電ステーションに記憶された料金規定を使用して、アクセス識別子が認証されたか、充電が許可されたか否かを判定する等）。認証成功応答メッセージを受信した場合、ブロック１８６０に進み、充電ステーションは充電を許可する（例えば、電気自動車と充電ステーションとの間で電力が流れることを可能にする充電ポイント接続部を起動することで）。次に、ブロック１８６０からブロック１８６５に進み、適切な場合（例えば、充電セッション支払い方法が時間毎又はエネルギ量毎の場合）、充電ステーションは充電時のコストを計算して表示する。次に、ブロック１８７０に進む。
【０１０４】
ブロック１８７０において、充電ステーションは、充電セッションデータを課金のためにサーバへ送信する。前述のように、充電ステーションは、使用時間メータを含むことができ、複数の期間にわたる電流を測定することができる。充電セッションデータは、１つ又はそれ以上の充電ステーション識別子、充電接続部タイプ、充電セッションのアクセス識別子、充電セッション開始時間、充電セッション終了時間、及び充電セッション時に電気自動車の運転者の電気自動車が消費したエネルギ量（所定量の電力がＶ２Ｇ環境で電力網に伝達される場合は正味量とすることができる）を含むことができる。サーバは、図１５を参照して説明したのと同じ方法で課金手続きを行う。
【０１０５】
特定の実施形態において、充電ステーションに対してホストが定義した複数の料金規定が存在する場合（例えば、充電ステーションの異なる充電ポイント接続部に対して）、ブロック１８２０及び１８４０を参照して説明する作動が各々の料金規定に対して行われる。
【０１０６】
図１８は、料金を決定して電気自動車の運転者に表示するために、ローカル料金規定を用いる充電ステーションを示すが、他の実施形態において、充電ステーションは、電気自動車の運転者に対して表示される料金に対処するサーバに認証要求を送信する。
【０１０７】
他の実施形態において、充電ステーションは、最初の認証要求に含むことができるメッセージを送信して、充電セッション要求の受信に対応してローカル料金規定が最新（つまり、最新の料金情報を有する）か否かを判定する。例えば、ローカル料金規定のタイムスタンプがサーバへ送信される。ローカル料金規定が最新であり、アクセス識別子が最初のアクセス認証を通過した場合（例えば、図１５のアクセス認証モジュール１３１５で行われる）、充電ステーションは、ローカル料金規定を使用して適切な料金を決定して表示する。ローカル料金規定が最新ではない場合、サーバは、充電ステーションに更新情報を送信する（従って、最新バージョンを使用する）。例えば、図１８を参照すると、アクセス識別子がサーバによって最初に認証され、料金規定が最新（又はサーバにより更新された）と判定され後、ブロック１８２０においてホストが定義した料金を表示して使用するための作動が始まる。
【０１０８】
図１９は、本発明の１つの実施形態による充電ステーションの例示的な実施形態を示す。図１９は充電ステーションの例示的なアーキテクチャを示すが、本明細書に説明する発明の実施形態において別のアーキテクチャを使用できることを理解されたい。
【０１０９】
図１９に示すように、充電ステーション１９００は、エネルギメータ１９１０、電流制御デバイス１９１５、充電ポイント接続部１９２０、揮発性メモリ１９２５、不揮発性メモリ１９３０（例えば、ハードドライブ、フラッシュ、ＰＣＭ等）、１つ又はそれ以上の送受信機１９３５（例えば、有線送受信機（例えば、イーサネット（登録商標）、電力線通信（ＰＬＣ）等）及び／又は無線送受信機（例えば、８０２．１５．４（例えば、ＺｉｇＢｅｅ他）、Ｂｌｕｅｔｏｏｔｈ（登録商標）、ＷｉＦｉ、Ｉｎｆｒａｒｅｄ、ＧＰＲＳ／ＧＳＭ（登録商標）、ＣＤＭＡ等））、ＲＦＩＤ読み取り装置１９４０、表示ユニット１９４５（随意）、ユーザインタフェース１９５０（随意）、及び処理システム１９５５（例えば、１つ又はそれ以上のマイクロプロセッサ及び／又は集積回路上のシステム）を含み、これらは１つ又はそれ以上のバス１９６０に結合される。充電ステーション１９００に関する料金規定は不揮発性メモリ１９３０に記憶される。
【０１１０】
エネルギメータ１９１０は、充電ポイント接続部１９２０を通って電力ライン１９０５を流れる電力量を測定する。本発明の１つの実施形態において、エネルギメータ１９１０は電流を測定するが、本発明の別の実施形態において、エネルギメータ１９１０は消費電力を測定する。エネルギメータ１９１０は、誘導コイル又は電力の測定に適するす他のデバイスとすることができる。特定の実施形態において、エネルギメータ１９１０は、プログラム可能使用時間エネルギメータである（例えば、ホストが定義した料金及び期間に基づいてプログラムされる）。
【０１１１】
充電ポイント接続部１９２０は、取り付け式充電コード（例えば、ＳＡＥ  Ｊ  １７７２コネクタを備える）用の電源コンセント又は回路である。電源コンセントは、ＮＥＭＡ（全国電機製造業者協会）規格５−１５、５−２０、及び１４−５０、又は他の規格（例えば、ＢＳ１３６３、ＣＥＥ７等）に適合する任意のコンセントとすること、及び異なる電圧（例えば、１２０Ｖ、２４０Ｖ、２３０Ｖ等）で作動することができる。
【０１１２】
電流制御デバイス１９１５は、電力ライン１９０５を流れる電流を制御するために使用される半導体デバイス、又は電力ライン１９０５を流れる電流を制御するのに適する任意のデバイスである。例えば、特定の実施形態において、電流制御デバイス１９１５は、充電ポイント接続部４２０を作動させる（例えば、電源ライン１９０５への回路を完成させることで）、又は充電ポイント接続部１９２０を非作動にする（例えば、電源ライン１９０５への回路を断つことで）。特定の実施形態において、電流制御デバイス１９１５は、電気自動車の運転者からの認証された要求を受信するとことで充電ポイント接続部１９２０を作動させる。
【０１１３】
ＲＦＩＤ読み取り装置１９４０は、充電ステーション１９００の使用を望む運転者のＲＦＩＤタグが埋め込まれたＲＦＩＤ使用可能バイス（例えば、スマートカード、キーホルダ、非接触クレジットカード等）からのＲＦＩＤタグを読み取る。例えば、特定の実施形態において、車両運転者は、ＲＦＩＤ読み取り装置の近くでＲＦＩＤ使用可能デバイスを通す／振ることで、充電ステーション１９００での充電セッションを要求できる。しかしながら、充電セッションは他の方法で要求でき、アクセス識別子は他の方法で充電ステーションに提示できることを理解されたい。例えば、特定の実施形態において、電気自動車は、プロトコル（例えば、ＰＬＣ）を介してアクセス識別子（例えば、ＶＩＮ）を充電ステーションに連絡する。このような実施形態において、電気自動車の運転者は、充電ステーションへのアクセスを得るために、アクセス識別子（ＲＦＩＤ使用可能デバイス等）を提示する必要はない。しかしながら、電気自動車の運転者は、支払いのためにＲＦＩＤ読み取り装置１９４０を使用できることを理解されたい。
【０１１４】
送受信機１９３５は、メッセージを送受信する。例えば、送受信機１９３５はサーバから料金規定を受信して、サーバへ認証要求を送信する、サーバへ課金のために充電セッションデータを送信する。表示ユニット１９４５は、充電サービスの料金、充電サービスの最新コスト、充電状態、確認メッセージ、エラーメッセージ、通知メッセージ等を含むメッセージを車両運転者に対して表示するために使用される。また、表示ユニット１９４５は、充電ステーション１９００が駐車メータとしても機能する場合、駐車情報を表示できる（例えば、残り時間（分）、駐車違反等）。
【０１１５】
ユーザインタフェース１９４０（随意）により、ユーザは充電ステーション１９００と対話できる。例えば、ユーザインタフェース１９５０により、電気自動車の運転者は、充電セッションの要求、充電セッションに対する支払い、アカウント及び／又は支払い情報の入力等を行うことができる。
【０１１６】
処理システム１９５５は、揮発性メモリ１９２５及び／又は不揮発性メモリ１９３０から命令を読み出し、命令を実行して前述の作動を実施することができる。
【０１１７】
図面に示す技術は、１つ又はそれ以上のコンピュータデバイス（例えば、電気自動車の充電ステーション、電気自動車の充電ステーションネットワークサーバ）に格納され実行されるコード又はデータを用いて実施できる。このような電子デバイスは、機械ストレージ媒体（例えば、磁気ディスク、光ディスク、ランダムアクセスメモリ、リードオンリーメモリ、フラッシュメモリデバイス、相変化メモリ）等の機械可読媒体、及び機械通信媒体（例えば、搬送波のような電気的、光学的、音響的、又は他の形態の伝播信号、赤外線信号、デジタル信号）を用いてコード及びデータを格納して通信（内部で及びネットワーク経由で他のコンピュータデバイスと）する。更に、このようなコンピュータデバイスは、一般に、ストレージデバイス、１つ又はそれ以上の入出力デバイス（例えば、キーボード、タッチスクリーン、及び／又はディスプレイ）、及びネットワーク接続等の１つ又はそれ以上の他の構成要素が結合された１つ又はそれ以上のプロセッサを含む。一般に、一連のプロセッサ及び他の構成要素の結合は、１つ又はそれ以上のバス及びブリッジ（バスコントローラとも呼ばれる）を経由して行われる。ストレージデバイス及びネットワークトラフィックを搬送する信号は、それぞれ１つ又はそれ以上の機械ストレージ媒体及び機械通信媒体に相当する。つまり、所定のコンピュータデバイスのストレージデバイスは、一般にデバイスの１つ又はそれ以上の一連のプロセッサで実行されるコード及び／又はデータを記憶する。もちろん、本発明の実施形態の１つ又はそれ以上の部分は、ソフトウェア、ファームウェア、及び／又はハードウェアの異なる組み合わせを用いて実施できる。
【０１１８】
本発明の実施形態は、特定の仕組み（例えば、アクセスリストに関連する時間ベース料金プロファイル）を用いて料金規定を作成することに関連して説明されているが、このような仕組みは例示的であり実施形態はこれに限定されないことを理解されたい。例えば、料金規定は、時間ベース料金プロファイル又はアクセスリスト等を作成することなく充電ステーションに直接適用できる。
【０１１９】
図面のフローチャートは、本発明の特定の実施形態が実行する特定の作動の順番を示すが、この順番は例示的であることを理解されたい（例えば、別の実施形態は、異なる順番で、特定の作動を組み合わせて、特定の作動を重ね合わせて作動できる）。
【０１２０】
本発明は、複数の実施形態を用いて説明されるが、当業者であれば、本発明は実施形態に限定されず、添付の請求項の精神及び範囲内で変更及び変形できることを理解できるはずである。従って、本明細書は限定的ではなく例示的であると見なされる。
【図１】
2013518356.tif 000003
【図２】
2013518356.tif 000004
【図３】
2013518356.tif 000005
【図４】
2013518356.tif 000006
【図５】
2013518356.tif 000007
【図６】
2013518356.tif 000008
【図７】
2013518356.tif 000009
【図８】
2013518356.tif 000010
【図９】
2013518356.tif 000011
【図１０】
2013518356.tif 000012
【図１１】
2013518356.tif 000013
【図１２】
2013518356.tif 000014
【図１３】
2013518356.tif 000015
【図１４】
2013518356.tif 000016
【図１５】
2013518356.tif 000017
【図１６】
2013518356.tif 000018
【図１７】
2013518356.tif 000019
【図１８】
2013518356.tif 000020
【図１９】
2013518356.tif 000021
【国際調査報告】
2013518356.tif 000022